(57)【要約】【課題】会葬者の共感度を加味した視聴覚情報を優先的に出力することができ、多くの参加者が視聴覚情報に共感して、故人の生涯を思いやり、感謝と感動に満ちた感情を持つことができるような告別式とする。【解決手段】視聴覚情報に含まれる映像を表示するディスプレイ装置１と、視聴覚情報に含まれる音声を出力する音声出力装置２と、故人の属性情報を入力するパーソナルコンピュータ３と、会葬者の属性情報を入力する属性入力端末装置５と、ディスプレイ装置１や音声出力装置２に視聴覚情報を出力するパーソナルコンピュータ３と、ディスプレイ装置１や音声出力装置２に出力された視聴覚情報についての各会葬者の共感度を示す共感度情報を生成するパーソナルコンピュータ３と、故人の属性情報と会葬者の属性情報と生成した共感度情報とをリンクさせてデータベース４にストレージするパーソナルコンピュータ３とを備えた。【選択図】図３
2008176495.tif 000002
【特許請求の範囲】
【請求項１】
告別式において映像及び音声を含む視聴覚情報を提供し、当該告別式の進行を支援する告別式支援システムであって、
前記視聴覚情報に含まれる映像を表示するディスプレイ装置と、
前記視聴覚情報に含まれる音声を出力する音声出力装置と、
故人の属性情報を入力する故人属性入力装置と、
会葬者の属性情報を入力する会葬者属性入力装置と、
前記ディスプレイ装置や前記音声出力装置に視聴覚情報を出力する視聴覚情報出力装置と、
前記ディスプレイ装置や前記音声出力装置に出力された視聴覚情報についての各会葬者の共感度を示す共感度情報を生成する共感度情報生成装置と、
故人の属性情報と会葬者の属性情報と生成した共感度情報とをリンクさせてデータベースにストレージするストレージ処理装置とを備えた
ことを特徴とする告別式支援システム。
【請求項２】
前記視聴覚情報出力装置は、前記データベースにストレージされているリンク情報にもとづいて選択された視聴覚情報を出力する
ことを特徴とする請求項１記載の告別式支援システム。
【発明の詳細な説明】
【技術分野】
【０００１】
本発明は、告別式において映像及び音声を含む視聴覚情報を提供し、当該告別式の進行を支援する告別式支援システムに関するものである。
【背景技術】
【０００２】
死者を葬る葬儀は、主に通夜、告別式、火葬の３つの礼式をもって行われている。そして告別式は伝統的祭壇を全面に配置し、その祭壇正面に向かって、お坊さんがお経を唱え、会葬者がお祈りとお香を焚くのが一般的な葬儀様式である。
【０００３】
従来から、データベースを利用したナレーションのシナリオ作りと効果的な葬儀演出に関する技術が提案されている（特許文献１）。また、従来から、複数の利用者端末を使用したネットワークシステムにおいて、情報属性と相関判定手段と共有情報の表示を制御する手段が設けられたものがある（特許文献２）。
【０００４】
【特許文献１】特開２００４−７８２６３号公報
【特許文献１】特開２００４−２１３１５３号公報
【発明の開示】
【発明が解決しようとする課題】
【０００５】
通夜から火葬迄は時間がかかり、また狭い住宅に住む現状では、会葬者が多数出席した葬儀を自宅で行うには非常に利便性が悪い。そこで葬儀は大きな建屋の中で行なわれている。しかし、宗教の儀礼は通夜から火葬に至るまで重要な作法として行われており、どの様式も排除するのは困難と思われている。発明者は、太平洋戦争後に生まれ、豊かな生活環境の中で育った人達がここ数百年の間続けられたこの宗教の礼式に違和感を覚えていることに気づいた。
【０００６】
故人との繋がりが個々の人にはあっても参加者どうしでの人間関係は濃い人も薄い人もあり様々である。このような問題を解決する手段として参加者に故人との思い出を語ってもらう方法がとられている告別式もある。この場合は参加者に事前に話の内容を確認することができないので、色々な話がなされ、司会者が取りまとめることは容易でない。即ち故人の経験した時間と空間で起きた事実を共有する事は容易ではない。これを解決するために故人の映像や音楽を大型画面に出力する方法も考えられる。しかし、会葬者によって故人との関係が変化するので、汎用的に使用する視聴覚映像を確保するのは情報の取捨選択の作業が必要であり、その作業内容は非常に複雑であり、汎用情報を獲得するには時間がかかるという課題を抱えていた。
【０００７】
本発明は、上述した問題を解消し、一切の宗教儀礼を排除し、多くの人が参列しても、その多くの参加者が故人の生涯を思いやり、感謝と感動に満ちた感情を持つことが出来る告別式のための装置を提供することを目的とする。
【課題を解決するための手段】
【０００８】
本発明の告別式支援システムは、告別式において映像及び音声を含む視聴覚情報を提供し、当該告別式の進行を支援する告別式支援システムであって、前記視聴覚情報に含まれる映像を表示するディスプレイ装置と、前記視聴覚情報に含まれる音声を出力する音声出力装置と、故人の属性情報を入力する故人属性入力装置と、会葬者の属性情報を入力する会葬者属性入力装置と、前記ディスプレイ装置や前記音声出力装置に視聴覚情報を出力する視聴覚情報出力装置と、前記ディスプレイ装置や前記音声出力装置に出力された視聴覚情報についての各会葬者の共感度を示す共感度情報を生成する共感度情報生成装置と、故人の属性情報と会葬者の属性情報と生成した共感度情報とをリンク（死生観情報の誘導目的別にリンクさせることが好ましい）させてデータベースにストレージするストレージ処理装置とを備えたことを特徴とする。
【０００９】
また、前記視聴覚情報出力装置は、前記データベースにストレージされているリンク情報にもとづいて選択された視聴覚情報を出力するようにしてもよい。
【発明の効果】
【００１０】
本発明によれば、会葬者の共感度を加味した視聴覚情報を優先的に出力することができるようになるため、多くの参加者が視聴覚情報に共感して、故人の生涯を思いやり、感謝と感動に満ちた感情を持つことができるような告別式となるようにすることができる。
【発明を実施するための最良の形態】
【００１１】
以下、本発明の一実施の形態について図面を参照して説明する。
【００１２】
図１は、告別式場に設置される告別式支援システム１０の例を示すブロック図である。告別式支援システム１０は、図１に示すように、告別式場の正面に設置される大型ディスプレイ装置１と、大型ディスプレイ装置１の左右にそれぞれ設置される音声出力装置２と、司会者の前に設置される小型ディスプレイ装置を備えたパーソナルコンピュータ３と、各種の視聴覚情報が格納されたデータベース４と、司会者席と会葬者の席にそれぞれ設置される属性入力端末装置５とを含む。音声出力装置２は、参加者のイメージを効果的に増幅させるように複数配置しておく。データベース４には、各種の視聴覚情報が、目的をもって短時間に希望条件で抽出できるように、キーワードとリンクして蓄えられている。
【００１３】
司会者席に設置された属性入力端末装置５からは故人の属性（年齢、性別、出身地、学歴、職業、趣味など）が入力され、会葬者席に設置された属性入力端末装置５からはその席に座る人の属性（故人との関係（家族、親戚、友人、職場上司、同窓生等）、職業、性別、年齢等）が入力される。この属性入力端末装置５は、図２に示すように、視聴覚映像に共感した時に押下される押しボタンスイッチ５ａを備えており、共感した視聴覚情報が出力されたタイミングやその時間を収集する。パーソナルコンピュータ３は、共感した人の数とその属性が高い領域（全員か趣味が同じ人に共感が多いか、会社関係の人に多いかなど）を示すデータを、各属性入力端末装置５から収集して積算したデータを得るための処理を実行する。
【００１４】
本例の告別式場では、大型ディスプレイ装置１の前に故人が納められた棺と花壇（図示せず）が設けられる。スピーチはこの花壇の前で大型ディスプレイ装置１に向かって行われる。参列者は、全員正面に向かって椅子に座る。正面司会者はスピーチを行う人より後ろで、参加者より前の壁側に立つ。
【００１５】
個々の要素についてもう少しその機能や役割について述べる。大型ディスプレイ装置１の画面はより大きいほど映像が伝える力が強い。映像は伝えたいと思うもの意外の意味も伝える機能を持っているので参加者は人によりあるいは音や言葉によって脳に大きな影響を与えられる。言い換えれば心に影響を与えることが出来る。スピーチを行う人は何を話すか判らないので、最初の視聴覚情報をデータベース化する場合、スピーチを聞きながら記憶装置から情報を引き出す。記憶装置からの引き出し要素ごとに専門スタッフを置き必要情報を複数引き出し、司会者の画面に表示をする。司会者はスタッフからの異なる複数の情報を見ながら選択をして、正面ディスプレイに選択した映像を表示したり、音楽を流したり、コメントをしたりして、死生観のストーリーに合うように司会を続ける。
【００１６】
データベース４から取り出される映像、音楽、音、歌、詩や言葉などの様々な目と耳に伝わる視聴覚情報は、抽出しやすいように検索用語とリンクして蓄えられる。即ち、故人に関する情報としては、出身地、卒業学校、働いていた場所、職業、趣味、会社経歴での勤務土地、友達との交流内容などにより取り出しできるよう準備しておく。例えば、職業では、時事に関する情報とリンクする可能性が高いので、職業、年代、話の内容でその情景をイメージできる画面を抽出できる。
【００１７】
一度使用した視聴覚情報は故人の属性と会葬者属性（共感データを含む）とリンクしてストレージされ、次回よりは故人属性と共感度の高い視聴覚情報を検索できるようにする。
【００１８】
告別式の具体的進行は次のような手順で行われる。先ず、パーソナルコンピュータ３は、正式な告別式が行われる前に、例えば葬儀場の担当者の操作による故人の属性データ（図４参照）の入力を受け付ける（ステップＳ２０１）。そして告別式に参加した人達に告別式の進行についての説明とそれに伴う会葬者属性入力の協力をお願いする。この要望に応じて各属性入力端末装置５を用いて入力された図５に示す情報（各会葬者の属性データ）を、パーソナルコンピュータ３が受け付けて収集する（ステップＳ２０２）。この時、共感度の情報を集める押しボタンスイッチ５ａの説明も行なう。そして、事例映像を用いて共感度データ収集の実施確認を行なう。最初の基礎データを収集するまではこのような手作業を伴うのはやむを得ない。
【００１９】
先ず、司会者は、司会者専用のディスプレイ画面を確認した後スピーチを始める（ステップＳ２０３）。このとき例えば、正面の大型ディスプレイ装置１の画面には故人の顔が映し出される。
【００２０】
司会「ただ今より故人Ｘさんの告別式をはじめます。本日は多数の方々のご出席有り難うございます。故人Ｘさんは、昭和○○年福井県○○市の○○で生まれ、○○高校時代は剣道初段のスポーツマンでした。○○大学工学部を卒業し××市に就職しました。エンジニアとして社会人のスタートをきりました。三人のお子さんに恵まれ、家族５人の幸せな生活を過ごしておりましたが、突然ガンに襲われ５５歳の生涯を終えることになりました。ここに謹んでご冥福をお祈りします。ここでの告別式は代表の方がお別れのスピーチを行う事で進められますのでよろしくお願いします。それでは昔からお馴染みでありました友人Ｙａさんからお別れのご挨拶をお願いします。」
【００２１】
友人Ｙａは大型ディスプレイ装置１の正面にあるスピーチ席に進みでる。正面の顔写真に向かい礼を行い、お別れのスピーチを始める。
【００２２】
友人Ｙａ「故人Ｘさん、貴方は志を高く掲げながら、どうしてそんなに早く生きる事を急いだのですか。それが残念です。今でも学生時代の頃、二人で山登りをし、夜遅く迄焚きを囲みながら話あった頃の事時々思い出します。君は何時も言っていた、あの汚れた九頭竜川の水を元に戻すのだと。当時は誰もそんな事振り向きもしなかった事を自分のライフワークとまで言い切っていましたね。大学を卒業したら福井に戻ってくると期待していたら、東京で下水の仕事をしていると知ってあの話が本当だと判って感動しました。それからの年賀状はいつも下水の話ばっかりコメントしてありましたね。」この話はステップＳ２０５になる。
【００２３】
会葬者による挨拶が開始されると（ステップＳ２０３）、スタッフはこのような話を聞きながら、白山を写した写真、焚き火の動画像、汚れた川のゴミが浮いた動画、鮎が踊るように泳ぐ動画像、清流の動画像とせせらぎの音などの情報映像を次々と司会者のコンピュータ３に転送してコンピュータ３が備える小型ディスプレイに表示させる。司会者は表示された映像の中から最も当初からのシナリオに合うと判断したものを正面の大型ディスプレイ装置１に転送して表示させる。スピーチが終了した時、司会者はコメントをする。思い出話から検索用語の抽出は基礎データ収集時には人手により集めるが、ある程度データが集まると即ち一つの話のストーリシナリオが出来れば、会葬者挨拶の言葉から音声認識技術を用いて検索必要用語を取り出し（ステップＳ２０５）、検索入力する（ステップＳ２０６）ことは技術的に可能である。
【００２４】
司会  「故人Ｘさんは５０年も前からこの地球環境のことを心配し、誰も振り向いてくれない時から人生を賭けて仕事をしていたのですね。だから今私達は川に船を浮かべ桜や夜景を見たりしながら、船の上で食事が出来るのですね。本当に有難う御座います。」
【００２５】
友人Ｙｂ  「故人Ｘさん、これで貴方と別れるという事は貴方からもう勇気を貰えないという事ですよね。だから貴方と別れることは寂しいとか悲しいとかよりとても辛い。故人Ｘさん貴方は凄い人だった。勇気もあるし、頭もいい。そして何時も、私の悩みを聞いてくれ解決策を教えてくれた。貴方から一番勇気を貰った時は夢も将来性もある職場を捨てて船乗りになって北の海に出かけたことだ。やらねばならない理由とその思いと行動力にはただただ驚きと感動だった。絶対俺には出来ない事を貴方は当然のように行動しましたね。そしていつもカラオケでよく北の漁場を歌ったね。思えばあの行動は貴方の命の一滴である一人っ子の病気を治療するためのものだったのですね。」・・・・・と話が続く
【００２６】
司会者は、スピーチの船乗り、北の海で荒波に揉まれる小さな漁船の映像を正面ディスプレイに映し出す。北の漁場の歌詞である、いのちぬくめて酔いながら酒をまわし飲む  明日の稼ぎを夢に見て、「腹に晒し巻く」の言葉を漁船の映像と二重写しにする。そして、カラオケの音楽をスピーチの声を邪魔しない程度の音量で流す。
【００２７】
司会  「北の海に出かけた理由は一人っ子の息子さんを救うためで、その結果自分の夢を捨てたのです。」
【００２８】
友人Ｙｃ  「故人Ｘさん、短い期間だったけれど私は貴方と巡り合えて本当に良かったと思います。誰も教えてくれなかった事を教えてくれた事を感謝しています。貴方が癌だと聞いてお見舞いに行った時、本当に驚いた。意気消沈していると思ってどう話かけようかと悩んで行ったら、普段と少しも変わっていなかった。不躾な質問とは思ったけど死の恐怖はないのかと質問したら、驚くべき返事が返ってきた。その時にはもう既に別の人間になっていると感じました。彼は死とは現在の肉体を捨てて、新しい生命体に移る変態に過ぎないと言う。あたかも蝶が蛹から変態してその形を変えるように、人間もまた形を変えるが魂は移り変わるだけだと言う。そして人間は生と死の繰り返し循環を続けながら進化している。人が死ぬ時肉体は消滅するが、魂は残り、元の普遍的スピリットと合体する。肉体は一時的棲家であったに過ぎない。死は一つの肉体から出て、別の肉体に入ると言う意味しかない。人間の本質は肉体ではなく魂だから不滅なのだ。だから私は死を恐れていないと教えてくれた。この言葉で私は今まで頭の中でモヤモヤしていた事がすっきりして、これから自分が遣らねばならない事が判った気がした。
【００２９】
このような新しい死生観の最後の画面は、映像は真っ黒な背景に浮かぶ青い地球を映し出す。そして締めくくりの司会の言葉は次のように締めくくられる。
【００３０】
司会「故人Ｘさんの遺言で変態する時、火葬は明日の太陽が昇る時刻に合わせて行われます。その時にはボーと鳴る船の霧笛を鳴らして欲しいとの希望があり、その通りに行われる予定です。この青い地球の上で何十億年も続いている命の循環の輪に変態を通して入り込むのです。その出発の合図を船の霧笛にすると故人Ｘさんが決めたのです。それでは出発です。」このような葬儀の進行にあわせて、コンピュータ３は、データベース４から検索された映像・音楽・声・歌などの視聴覚情報を正面の大型ディスプレイ装置１に出力することになる。
【００３１】
データベース４には、例えば、１０年毎の年代別（１９９１〜２０００年など）に区分けされてストレージしておく。年代別に下記カテゴリに分けて抽出しやすいように映像・音楽・声・歌をストレージする。
【００３２】
《人の動作別のカテゴリ（男女性別毎に）》
幼少期：家族、宮参り、七五三、節句、入園式、遊戯会、誕生会、遠足
少年少女期：家族、入学式、学芸会、運動会，修学旅行、クラブ活動、
学生時期：家族、入学式、修学旅行、クラブ活動、サークル活動、卒業式、文化祭、学園風景
職業：営業、先生、エンジニア、工員、大工、美容師、医者、警察官
流行、趣味：テレビゲーム、スポーツ、フィツトネスクラブ、習い事
青年時代：家族、仕事、趣味、交友
結婚当時：家庭（家族、住まい、一家団欒、家族旅行）、子育て、出張、職場慰安会、趣味、交友
中年時代：家庭（家族、住まい、一家団欒、家族旅行）、出張、単身赴任、職場慰安会、趣味、交友
定年前後・晩年時代：家庭（家族、住まい）、生活風景、趣味、交友、病気
【００３３】
《生活関連トピックスのカテゴリ》
住まい：台所や茶の間の間取り、玄関、庭、家具、盆栽
服装：スカートやズボン等のファッション、帽子、礼装
食べ物：バーベキュ、食事風景、家庭料理
家庭行事：誕生日祝い、卒業祝い、法事、お盆の墓参り法要、先生、エンジニア、工員、大工、美容師、医者、警察官
住居環境：年始年末風景、商店街、公園、河川、住宅地、高層ビル
交通機関：電車，汽車、自動車、船、飛行機、ケーブルカー
流行、趣味：テレビゲーム、スポーツ、習い事
【００３４】
《社会関連トピックスのカテゴリ》
イベント：皇室の慶弔、博覧会、
事件・事故：列車事故、殺人事件、交通事故、薬害事件、環境被害事故
政治：選挙、総裁選、法律審議、予算関連、新しい法律実施の話題
経済：景気、金利、新製品、税金、年金、保険の話題
社会：就職、退職、暮と正月風景、若者の流行り、レジャー
教育：入学試験、学園風景、大学風景、
文化・芸術：映画、音楽、絵画、演劇、能、歌舞伎、盆踊り、獅子舞
スポーツ：相撲、野球、サッカー、ゴルフ、水泳、剣道、柔道、山登り
科学技術：ノーベル賞、ハイテク、ロボット、バイオ、ナノテク、光
【００３５】
《自然と風景に関するカテゴリ》
世界遺産（自然と建物）の名称
山、川、海岸の地名や名称
神社仏閣、名所旧跡の名称
公園（国立、国定）の名称
【００３６】
使用実績のある視聴覚情報を用いた出力までの手順は次のようになる。
故人の属性（例えば年齢、性別、出身地、職業、趣味などを事前に入力しておく）と会葬者属性（例えば年齢、性別、との関係、家族、親戚、会社関係、隣人、趣味仲間、同窓生、職業など）を会場の席に設けた各属性入力端末装置５より式前に入力しておく。
【００３７】
そして、映像や音楽の視聴覚情報を流して、会葬者が共感を覚えた時、手元の属性入力端末装置５のボタン５ａを何回でも押してもらう（ステップＳ２０７，Ｓ２１５）。コンピュータ３は、各属性入力端末装置５のボタン５ａが押下されたタイミングと、そのときに出力されていた視聴覚情報とを対応付けしてデータベース４に登録する。
【００３８】
二回目以降に使用する視聴覚情報は一度使用したデータに実績情報Ｘ=X1（故人属性）＊X2(会葬者属性＋共感度情報）が付加されて再度データベースにストレージされる（ステップＳ２０８，Ｓ２１６）。
【００３９】
出身地の風景(Mｍｎ)  ［1940~］＊［九頭竜川］＊実績情報Ｘ
個人の特技(Mmn)    ［1950~］＊［剣道］＊実績情報Ｘ
職業  (Mmn)        ［1960~］＊［エンジニア］＊実績情報Ｘ
願い  (Mmn)        綺麗な自然＊実績情報Ｘ
ここで「Mmn」は視聴覚情報のナンバーで「ｍ」はデータベース４のアドレスを意味し、「n」は使用した回数の何回目かを示す番号とする。
【００４０】
友人Ｙａさんの別れの挨拶
山登り        ［白山］＊［登山の行列］＊［汗をかく姿］＊実績情報Ｘ
焚き火        ［キャンプ］＊［飯合を吊るした］＊［炎］＊実績情報Ｘ
どぶ川        ［空き缶の浮いた情景］＊［泡の浮く情景］＊［死んだ魚］＊実績情報Ｘ
設計          ［図版］＊［計算尺］＊［図面］＊実績情報Ｘ
清流          ［川の流れ］＊［澄んだ川底］＊［イシャシャの群れ］＊実績情報Ｘ
鮎            ［鮎釣りの人］＊［川面を跳ねる魚］＊［鮎の動き］＊実績情報Ｘ
【００４１】
友人Ｙｂさんの別れの挨拶
コミュニケーション  ［病室］＊［二人の姿］＊［元気そうな表情］＊実績情報Ｘ
カラオケ          ［揺れる船室］＊［マイクの前で歌う姿］＊［北の漁場の音楽］＊実績情報Ｘ
子供の病院        ［病院のベッド］＊［点滴を受ける子供］＊［元気に遊ぶ子供］＊実績情報Ｘ
荒海              ［荒れる海］＊［岩を打つ波］＊［岸壁の波しぶき］＊実績情報Ｘ
漁船              ［荒れる海に浮かぶ船］＊［吹雪の中の船］＊［吹雪船上の船員］＊実績情報Ｘ
網引き            ［荒れる海での網引き］＊［網引き作業］＊［船室の酒盛り］＊実績情報Ｘ
【００４２】
友人Ｙｃさんの別れの挨拶
病院ベッド        ［病院のベッド］＊［座った姿］＊［病室の花］＊実績情報Ｘ
【００４３】
視聴覚情報による死生観誘導について説明する。ステップＳ２１２は死生観誘導の順序であり、誘導目的は新しい死生観を感じられるようにするため、視聴覚情報に持たせる意味情報である。誘導シナリオとしては下記に示すようにステップを踏んで理解できるように視聴覚映像で意味情報を事前に定められた手順で出力させる（ステップＳ２１４）。
【００４４】
死生観誘導目的の第一ステップは故人の存在の意味を考える。
具体的視聴覚情報は会葬者挨拶イメージから検索された視聴覚情報を生、成長、生きる、病気、死の順に並び替え再現させながら、人間の生命の短さや、一生を掛けて理解した言葉や、思いを語り、故人の人生を短縮した視聴覚情報を流す。ここでもステップ第一で使用した視聴覚情報にもＸデータが付加されてデータベース４にストレージされる。以下第二から第五までの各ステップも同様の処理が行なわれるものとする。
【００４５】
死生観誘導目的の第二ステップは人間の宿命である死について、人間はどうにもならない現実、死に直面した時、人間とは何者かを考える。自分が死んだら体を焼かれ灰と煙になることを思い知らされる。そして生き物である人間も地上の動物と同じであるとの認識に立つ。具体的視聴覚情報は猿の誕生と人間の誕生、猿の子供と人間の子供、猿の食事と人間の食事、老いた猿と老いた人間を同時対比映像で流す。
【００４６】
死生観誘導目的の第三ステップは人間の生涯も動物の生涯も同じような原則で貫かれていることを知る。自然界には生まれそして死ぬ流れも自然の法則であることを知る。
【００４７】
具体的視聴覚情報は猿の誕生と人間の誕生、猿の子供と人間の子供、猿の食事と人間の食事、老いた猿と老いた人間を同時対比映像で流す。
【００４８】
死生観誘導目的の第四ステップは生命の潮流をしる。生まれては死ぬ生命の流れも大きな集団で見ると、個は全体の中で生きている事を知り、個の心の中でも全体がいきているのが自然の法則であることを認識する。
【００４９】
具体的視聴覚情報は、鮭の川登と産卵の動画、アフリカのヌーの集団移動、雁の移動等の動物の全体の動きと個体の動き、それに似た人間の集団の行動と固体の行動などである。
【００５０】
死生観誘導目的の第五ステップは宇宙には深いルール、個は即ち全体である。そして個に意識があるように、全体にも意識がある。だから宇宙にも意識がある。このような高度の概念を映像だけで伝えるには情報が不十分である。例えば次のような言葉で補足する必要がある。
【００５１】
昔、坊さんは高い山に登り、下界を眺めて、人間も虫けらと同じものだと悟った。現代の登山家は人の住まない高い山に登り、神の住む世界を見たと言う。それではもっと高いところ、月の裏側まで行って、地球を見た宇宙飛行士は何を悟ったのか。
【００５２】
宇宙から地球を見た時だ。無数の星が暗黒の中で輝き、その中に我々の地球が浮かんでいた。地球は無限の宇宙の中では一つの斑点程度にしか見えなかった。しかしそれは美しすぎるほど美しい斑点だった。それを見ながら幾つかの疑問が浮かんできた。
【００５３】
人間がここに存在しているのは何故か？  存在には意味があるのか？  目的があるのか？  人間は知的動物に過ぎないのか、それともそれ以上のものなのか？  宇宙や人間は創造されたのか、それとも偶然の結果として生成されたのか？
【００５４】
これらの疑問と同時にその答えが同時に瞬時に浮かんだ。世界の存在には意味がある。私も宇宙も偶然の産物ではあり得ない。生命は目的を持って進化しつつある。個別的生命は全体の一部である。個別的生命が部分をなしている全体がある。全ては一体である。一体である全体は、秩序づけられており、調和しており、愛に満ちている。この全体の中で人間は神と一体だ。自分は神と一体だ。自分は神の目論見に参加している。宇宙は創造的進化の過程にある。この一瞬一瞬が宇宙の新しい創造なのだ。
【００５５】
このメッセージが流れている間に流される具体的視聴覚情報は聖地に座り交感する人の姿、雨乞いをする人の姿、死んだ人と交感する人の姿、古木と交感しハミングする女性の姿、高い山からの人間の住む世界、更に高い処、人工衛星からの地上の景色、更に、月から見た地球の映像を写す。
【００５６】
以上の手順で行なわれる葬儀において、データの採取（ステップＳ２０７，Ｓ２１５）とストレージ（ステップＳ２０８，Ｓ２１６）について述べる。一度使用された視聴覚情報は故人の属性データと会葬者全員属性データ構成要素毎に出力された視聴覚情報に共感した人の累積人数情報をまとめた共感度情報（図６参照）とをリンクさせてストレージする。その入力情報について以下説明する。
【００５７】
故人の属性データは既に判っている情報なのでコンピュータ端末から、図４の項目で入力しておく。会葬者の属性データ（図５参照）は葬儀前に各会葬者の席に設けた属性入力端末画面（図２参照）に示される属性項目に従って情報を入力してもらう。又会葬者席の設けた会葬者属性端末には独立した押しボタンスィッチを設け、会葬者が大型画面の視聴覚情報に共感した時だけ押してもらい、共感情報を収集する。共感情報は図６に示すように会葬者属性と共感度データの項目に共感して押しボタンスイッチ５ａを押した人の属性だけが各該当項目に１加算される。したがって、押した人数分だけ加算されて視聴覚情報ごとに集計保存される。
【００５８】
二回目以降の故人属性は基準を設けて共感データを入力する必要がある。この場合の基準は故人が使用した時間と空間が出来るだけ同じになる条件で設定する方が良い。男であれば職業、女性であれば、女性の職業と夫の職業を付加した条件が望ましい。
【００５９】
このような条件で故人の属性と同一になる共感データを採集し続ける。
【００６０】
二回目以降の視聴覚情報の検索は会葬者が話すイメージに合った視聴覚情報と故人の属性と一致して、かつ過去使用した視聴覚情報の中で一番共感度の高い情報を選択する。ここでの一致は職業だけの一致で選ぶこともできるが、データの情報量が多くなると年齢一致や会葬者の構成を考慮して選択することもできる。
【００６１】
共感情報即ち押しボタンスイッチ５ａを押した人の数情報は図６に示すように、会葬者属性の要素と共感度データの欄にある、A1n~A7n,B1n~B2n・・・・H1n~H6nのどこかに入力される。ここでＡは属性の項目の一つである年齢を意味し、nは視聴覚情報Mmnの使用回数番号である。A1nはアドレス位置A1nにストレージされた共感度入力の回数を示すことになる。又共感度入力前の会葬者属性のみを集計した各要素の数をn=0とする。したがってB10+B20は参加者全員の人数となる。そして会葬者属性の構成要素n=0時の集計も参加者全員の人数となる。例えば構成要素Hでn=0の時の人数合計と共感した人数の比であるH1n/H10が１であることは家族全員がその映像に共感したことを意味し、同じ視聴覚情報でB1n/(B10+B20)の比も０.9であれば参加者も家族と同じ気持ちで共感したことを意味する。そして(B1n+B2n)はn回目に参加した会葬者全員の数である。したがってH1n/(B1n+B2n)は全体の中で故人の関係がH1に属する関係の人が共感した百分率を示すことになる。この共感度を示す百分率の数字を使用して、視聴覚情報を使用して共感を得る確率が得られる。その公式は次の式で表される。
【００６２】
【数１】
2008176495.tif 000003
【００６３】
この式によって、σ（分散）を求めるｎが１０以上で共感度の最大値と最小値を除いた平均値を求める。その標準偏差を使用すれば、ｘ±３σの範囲の同一属性会葬者の９９％は共感を与えられる事になる。
【００６４】
共感度情報を更に確度を高めるためには、共感度入力回数を増やして、視聴覚情報のどの時間帯で共感情報を多く得られたかを判るようにすれば良い。これは共感度入力タイミングの改善を行なう事で容易にできる。
【００６５】
属性項目についても、表に示した項目以外にも適切な範囲は実施すると色々な情報が得られる。
【００６６】
共感度数値と属性項目を関係付けてみることで、色々の関係が想定される。例えば職業欄では共感度が高い値を示さないのに性別の女性だけに高い値を示すこともある。又誰にでも共感を与える視聴覚情報の場合は年齢構成別人員数と共感した人数が同じ分布になる。このような場合は死生観について汎用性のある良い視聴覚情報ということになる。このような視聴覚情報はある程度のシナリオを描き、それに従い視聴覚情報を修正していくことで、多くの人に新しい死生還を理解してもらうことが出来るようになる。
【００６７】
お別れの挨拶をする人は必ず故人について語る。この話は少数の人が故人と共有した時間と空間で起きた話であり、故人の性格や特徴を強調する話である。その話をイメージできる時間と空間の視聴覚情報を流すことはコンピュータと記録装置を利用すれば現在の技術で用意に具体化できる。
【００６８】
会葬者の思い出話を聞きながら各担当分野例えば、風景の映像、歌や歌詞そして音、詩や言葉や文章  事件やイベントの動画等、視覚や聴覚に関する視聴覚情報が登録されているデータベースの中から目的の視聴覚情報を抽出して出力する。視聴覚情報は会葬者の話しから場所や時の情報から空間イメージする映像として抽出できる。又行動からは目的の憶測やその結果から故人の心を推測し、会葬者の話しが終わった時死生観に関する暗示の言葉を検索して述べることも出来る。複数の会葬者の話しの最後に暗示の言葉を話すことで死生観のテーマを会葬者全員の感情に影響を与えられる。司会者は死生観のテーマを如何に会葬者の心情に影響を与えられるかを考えながら、選別した複数の映像や言葉等の情報からも最も適切と思う情報を中央の大型ディスプレイに転送する。
【００６９】
従来の宗教は宗教指導者が良く用いるトリック、神の主語を外して述語だけで語るので、認識を錯覚させている。現代の新しい技術で映像や音、言葉等の視聴覚情報を論理良く組み立ててディスプレイに映し出したり、流したりする事で、他の人が経験した時間と空間をあたかも傍に居て見ていたかのように擬似体験させることができる。この擬似体験と
今まで知らなかった故人の側面を知ることで、故人の存在の大きさをより深く感じさせ
ることができる。
【００７０】
市場にあるありふれた視聴覚情報であっても社会の現実を反映したさまざまなテーマや光景が自然な形でインプットされている。同じ映像情報でも説明の仕方や一緒に流す音楽で参加者が受ける感覚は異なってしまう。したがって視聴覚情報と同時に死生観の何を想定させるか、何を意味しているか、何を暗示しているか、何を憶測させるか、どのような視点で見たものか、何が疑問と考える引き金になったのか、悟るに至った死生観の概念などの言葉でリンクさせてストレージしておく。又この視聴覚情報とリンクした言葉の下には下位の従属する言葉が準備されている。このような視聴覚情報と検索ワードは常に使用した実績（参加者の反応と効果の大きさ共感度）から相関データを取り、優先順位がつけられているものとする。
【００７１】
地聴覚情報報は時空情報、行動情報、意味情報や暗示情報、死生観情報へとブレークダウンされてディスプレイ表示されるので、葬儀への出席者は挨拶者の話から、故人の夢、絶頂期の喜び、挫折したどん底での苦しみ、どうにもならない悩みなどを恰も自分が傍で見ていたように感じることができる。
【００７２】
司会者は最後に多くの別れの挨拶から暗示する言葉を利用して話したり、イメージ情報からの憶測できることを話したりする。参加者のすべての人に共感を呼ぶ結論の言葉とその言葉と合う最後のイメージ情報をディスプレイに写したり、流したりする。  司会者は話しの内容に合わせて、複数の情報から選択する事ができるので、情報は二度スクリーニングされることになる。この作業組み合わせにより、短時間により良い情報が選択できる。コンピュータと人とが二度選択することは人の心を動かす情報内容が汎用化されてディスプレイ表示されるので、情報の品質を上げることができる。
【００７３】
挨拶者の話は故人の人生の一断片についてであるが、このような手順で行うことで統合された観点で故人の人生を深く理解して、体験に近い感情を参加者に与えることが出来る。
【００７４】
ここで司会者が想定したり、暗示したり、意味情報と言ったりするには、基本的な死生観を持って話さないとまとめにならない。この新しい死生観は従来の往生する即ちこの世をさって極楽浄土にうまれると言う考え方ではなく、生命はこの地球上で生と死と繰り返し進化を続けている。だから死は肉体の消滅であり、魂は次々と生命体に引き継がれていくとの死生観がある。地球の生命体のシステムを破壊することは種の破滅を招く。それが引き金で、生命体の頂上、進化の頂点に立つ人類も又同じ運命になる。シナリオの死生観は従来からある輪廻、再生、魂の循環に現代の生命に対する認識を付加したものに相当する。
【００７５】
したがって、宗教に変わる新しい告別式は、視聴覚情報を操作することで故人の時空を共有化し、新しい死生観と言う難しい概念を告別式参加者に認識させることができるのである。
【００７６】
理論的にはこのような方法は可能であったが、具体化するには膨大な視聴覚情報を短時間転送したり、大型ディスプレイに写したり、流したりすることが困難であった。しかし最近の情報技術の発達はこれを可能にするデータベースや大型ディスプレイ、高速コンピュータを製品化している。しかしこの新しい宗教儀礼を排除した葬儀であっても会葬者が行う故人に対する宗教的儀礼作法例えば礼拝の仕方まで排除するものではない。
【００７７】
以上に説明したように、本実施形態では、視聴覚情報に含まれる映像を表示するディスプレイ装置１と、視聴覚情報に含まれる音声を出力する音声出力装置２と、故人の属性情報を入力するパーソナルコンピュータ３と、会葬者の属性情報を入力する属性入力端末装置５と、ディスプレイ装置１や音声出力装置２に視聴覚情報を出力するパーソナルコンピュータ３と、ディスプレイ装置１や音声出力装置２に出力された視聴覚情報についての各会葬者の共感度を示す共感度情報を生成するパーソナルコンピュータ３と、故人の属性情報と会葬者の属性情報と生成した共感度情報とをリンク（死生観情報の誘導目的別にリンクさせることが好ましい）させてデータベース４にストレージするパーソナルコンピュータ３とを備えているので、会葬者の共感度を加味した視聴覚情報を優先的に出力することができるようになり、多くの参加者が視聴覚情報に共感して、故人の生涯を思いやり、感謝と感動に満ちた感情を持つことができるような告別式となるようにすることができる。
【００７８】
また、上述した実施の形態では、パーソナルコンピュータ３が、データベース４にストレージされているリンク情報（故人の属性情報と会葬者の属性情報と生成した共感度情報とをリンク（死生観情報の誘導目的別にリンク）した情報）にもとづいて選択された視聴覚情報を出力する構成としているので、会葬者の共感度を加味した視聴覚情報を優先的に出力することが可能となる。
【００７９】
また、故人の死生観にあった、あるいは故人の好みにあった最後のお別れ（告別式）を故人の希望に合わせて行なうことができる。さらに、故人の時空を共有化する事は家族も知らない故人の思いや性格を知り、故人との深い繋がりを認識させられたりして、従来の告別式とは異なる体験ができる。又映像の録画は家族にとって貴重な思い出になる。
【００８０】
さらに、会葬者代表のスピーチが行われている間に、データベースから取り出される映像、音楽、音、歌、詩や言葉などの様々な目と耳に伝わる視聴覚情報を大形ディスプレイに映し出すことにより、故人と共有した時間と空間を参加者が共有したようなイメージを与えることができる。次々と替わって話す内容のスピーチに合わせて同様の操作を行う事で故人の人生と同時に生きたような時間と空間を疑似体験することで、参加者全員が故人を深く理解する事が出来る。スピーチとスピーチの間では司会者が言葉を選んで話すことにより、死生観にあった生き方をしてきたように参加者の気持ちを誘導することもできる。
【産業上の利用可能性】
【００８１】
本発明によれば、告別式において映像及び音声を含む視聴覚情報を提供し、当該告別式の進行を支援するのに有用である。
【図面の簡単な説明】
【００８２】
【図１】告別式支援システムの例を示すブロック図である。
【図２】属性入力端末装置の例を示す説明図である。
【図３】告別式支援処理の例を示すフローチャートである。
【図４】故人の属性データの例を示す説明図である。
【図５】会葬者の属性データの例を示す説明図である。
【図６】会葬者属性と共感度データの例を示す説明図である。
【符号の説明】
【００８３】
１    大型ディスプレイ装置
２    音声出力装置
３    パーソナルコンピュータ
４    データベース（記憶装置）
５    属性入力端末装置
１０  告別式支援システム
【図１】
2008176495.tif 000004
【図２】
2008176495.tif 000005
【図３】
2008176495.tif 000006
【図４】
2008176495.tif 000007
【図５】
2008176495.tif 000008
【図６】
2008176495.tif 000009